(57)【要約】【課題】  小さな力で楽に開封することが可能な薬剤分包袋の提供。【解決手段】  両側縁部１０ａ，１１ａどうしが向い合うように二つ折りされた長尺のシート３からなり、対向するシート片部１０，１１の間に薬剤１２が投入され、両側縁部１０ａ，１１ａどうしがヒートシールされ、両側縁部１０ａ，１１ａのうち一方の縁部１１ａの縁辺１１ｂが他方の縁部１０ａの縁辺１０ｂに対してシート３の幅方向に位置ずれしている薬剤分包袋２。【選択図】  図２
2006149505.tif 000002
【特許請求の範囲】
【請求項１】
両側縁部どうしが向い合うように二つ折りされた長尺のシートからなり、対向するシート片部の間に薬剤が投入され、両側縁部どうしがヒートシールされて薬剤分包袋が形成される分包紙であって、
前記両側縁部のうち一方の縁部の縁辺が他方の縁部の縁辺に対してシートの幅方向に位置ずれしていることを特徴とする分包紙。
【請求項２】
長尺のシートをロール状に巻き回したロール体からなることを特徴とする請求項１記載の分包紙。
【請求項３】
両側縁部どうしが向い合うように二つ折りされた長尺のシートからなり、対向するシート片部の間に薬剤が投入され、両側縁部どうしがヒートシールされた薬剤分包袋であって、
前記両側縁部のうち一方の縁部の縁辺が他方の縁部の縁辺に対してシートの幅方向に位置ずれしていることを特徴とする薬剤分包袋。
【請求項４】
両側縁部どうしが向い合うように二つ折りされた長尺のシートからなり、対向するシート片部の間に薬剤が投入され、両側縁部どうしがヒートシールされた薬剤分包袋の製造方法であって、
前記長尺のシートをロール状に巻き回してロール体とし、該ロール体からシートを繰り出しつつ前記両側縁部のうち一方の縁部の縁辺を他方の縁部の縁辺に対してシートの幅方向に位置ずれさせ、対向するシート片部の間に薬剤を投入し、両側縁部どうしをヒートシールすることを特徴とする薬剤分包袋の製造方法。
【請求項５】
両側縁部どうしが向い合うように二つ折りされた長尺のシートからなり、対向するシート片部の間に薬剤が投入され、両側縁部どうしがヒートシールされた薬剤分包袋の製造方法であって、
前記シートを幅方向中心に対して幅方向へオフセットした位置で該シートの長さ方向に二つ折りしてロール体とし、該ロール体からシートを繰り出しつつ対向するシート片部の間に薬剤を投入し、両側縁部どうしをヒートシールすることを特徴とする薬剤分包袋の製造方法。
【発明の詳細な説明】
【技術分野】
【０００１】
本発明は、分包紙および薬剤分包袋、並びに薬剤分包袋の製造方法に関する。
【背景技術】
【０００２】
一般に種々の薬剤は、服用のために服用量毎に薬剤分包袋に分包されることが行われている。この薬剤分包袋は、長尺状のシートからなる分包紙をその幅方向中心で二つ折りにし、その開放側から薬剤を投入し、投入した薬剤が分包されるよう分包紙の長さ方向所定間隔置きに分包紙にヒートシールを施して区分けするとともに、分包紙の開放側の縁部どうしをヒートシールすることで薬剤分包袋とされている（特許文献１参照）。このような薬剤分包袋は、服用者が薬剤を服用する際にはヒートシールされた縁部を手指でもって切断することで開封されることになる。
【特許文献１】実公平１−３７６３５号公報
【発明の開示】
【発明が解決しようとする課題】
【０００３】
しかしながら、上記薬剤分包袋は長尺のシートからなる分包紙を幅方向中心で二つ折りにしているからその縁部は一致している。このため、薬剤分包袋をその縁部から開封を始める際に二枚分のシートを切断しなければならないことになり、服用者によっては手指の力で開封することが難しい場合がある。
【０００４】
そこで本発明は、上記課題に鑑み、小さな力で楽に開封することが可能な分包紙および薬剤分包袋並びに薬剤分包袋の製造方法の提供を課題とする。
【課題を解決するための手段】
【０００５】
本発明の分包紙は、両側縁部どうしが向い合うように二つ折りされた長尺のシートからなり、対向するシート片部の間に薬剤が投入され、両側縁部どうしがヒートシールされて薬剤分包袋が形成される分包紙であって、前記両側縁部のうち一方の縁部の縁辺が他方の縁部の縁辺に対してシートの幅方向に位置ずれしていることを特徴としている。
【０００６】
このような構成の分包紙を、その縁部を切断してして薬剤を取出す際、シートのシート片部のうち一方のシート片部の縁部の縁辺から切断することになるから、双方のシート片部の縁部を切断する（切断を開始する）場合に比べて小さい手指の力で楽に切断することが可能となる。そして一方のシート片部の縁部から切断を開始して他方のシート片部の縁部であるヒートシール部分にいたっても、一方のシート片部の縁部は切断されている状態にあるから、初めから双方のシート片部の縁部から切断を開始する場合に比べて楽に切断することができる。
【０００７】
本発明の分包紙は、長尺のシートをロール状に巻き回したロール体からなることを特徴としている。このように分包紙をロール体とすることで、長尺の分包紙をコンパクトにすることが可能となり、単に分包紙をロール体から繰り出し、所望の長さ方向位置で両側縁部どうしをヒートシールして薬剤分包袋とすることが可能になる。
【０００８】
本発明の薬剤分包袋は、両側縁部どうしが向い合うように二つ折りされた長尺のシートからなり、対向するシート片部の間に薬剤が投入され、両側縁部どうしがヒートシールされ、前記両側縁部のうち一方の縁部の縁辺が他方の縁部の縁辺に対してシートの幅方向に位置ずれしていることを特徴としている。
【０００９】
このような構成の薬剤分包袋を、その縁部を切断してして薬剤を服用する際、シートのシート片部のうち一方のシート片部の縁部の縁辺から切断することになるから、双方のシート片部の縁部を切断する（切断を開始する）場合に比べて小さい手指の力で楽に切断することが可能となる。そして一方のシート片部の縁部から切断を開始して他方のシート片部の縁部であるヒートシール部分にいたっても、既に一方のシート片部の縁部は切断されている状態にあるから、初めから双方のシート片部の縁部から切断を開始する場合に比べて楽に切断することができ、ヒートシール部分を切断することで薬剤を服用することができる。
【００１０】
本発明の製造方法は、両側縁部どうしが向い合うように二つ折りされた長尺のシートからなり、対向するシート片部の間に薬剤が投入され、両側縁部どうしがヒートシールされた薬剤分包袋の製造方法であって、前記長尺のシートをロール状に巻き回してロール体とし、該ロール体からシートを繰り出しつつ前記両側縁部のうち一方の縁部の縁辺を他方の縁部の縁辺に対してシートの幅方向に位置ずれさせ、対向するシート片部の間に薬剤を投入し、両側縁部どうしをヒートシールすることを特徴としている。
【００１１】
ロール体からシートを繰り出しつつ、両側縁部のうち一方の縁部の縁辺を他方の縁部の縁辺に対してシートの幅方向に位置ずれさせてヒートシールすることで、両側縁部のうち一方の縁部の縁辺を他方の縁部の縁辺に対して位置ずれした薬剤分包袋を連続して製造することができる。このようにして製造された薬剤分包袋では、その縁部を切断してして薬剤を服用する際、シートのシート片部のうち一方のシート片部の縁部の縁辺から切断することになるから、双方のシート片部の縁部を切断する（切断を開始する）場合に比べて小さい手指の力で楽に切断することが可能となる。そして一方のシート片部の縁部から切断を開始して他方のシート片部の縁部であるヒートシール部分にいたっても、既に一方のシート片部の縁部は切断されている状態にあるから、初めから双方のシート片部の縁部から切断を開始する場合に比べて楽に切断することができ、ヒートシール部分を切断することで薬剤を服用することができる。
【００１２】
本発明の製造方法は、両側縁部どうしが向い合うように二つ折りされた長尺のシートからなり、対向するシート片部の間に薬剤が投入され、両側縁部どうしがヒートシールされた薬剤分包袋の製造方法であって、前記シートを幅方向中心に対して幅方向へオフセットした位置で該シートの長さ方向に二つ折りしてロール体とし、該ロール体からシートを繰り出しつつ対向するシート片部の間に薬剤を投入し、両側縁部どうしをヒートシールすることを特徴としている。
【００１３】
本発明の製造方法によっても、小さい力で楽に切断できる薬剤分包袋を連続して製造することが可能となる。さらに、シートは予め二つ折りしてあるから、シートの繰り出しからヒートシールの工程途中にシートを二つ折りにする部材が不要であり、その分だけ薬剤分包袋を製造するための装置をコンパクトにすることが可能となる。
【発明の効果】
【００１４】
本発明によれば、一枚のシートをそのシート片部の縁部の縁辺どうしを一致させないよう二つ折りにしているから分包紙、あるいは薬剤分包袋の開封を小さい手指の力で楽に行うことができる。
【発明を実施するための最良の形態】
【００１５】
以下、本発明の実施形態を図面に基づいて説明する。図１は本発明の実施形態を示す薬剤分包袋の薬剤包装装置の構造を示す概略斜視図、図２は薬剤包装装置を用いて薬剤分包袋を製造する際の要部拡大斜視図、図３は薬剤分包袋の断面図である。
【００１６】
図１および図２に示すように、薬剤包装装置１は、連続した薬剤分包袋２に加工される長尺の分包紙１７をロール状に巻き回されてなるロール体４を支持する支持部５と、ロール体４からシート３を繰り出す駆動部６と、ロール体４から繰り出された分包紙１７を後述の投入部７へ向けて案内する案内部８と、折り畳んだ分包紙１７のシート片部１０，１１間に薬剤１２を投入するための前記投入部７と、折り畳まれた分包紙１７に対してヒートシールを行い、ヒートシール部２ａ，２ｂによって個々に区画された薬剤分包袋２を形成するシール部１３とを備えている。
【００１７】
図３に示すように、薬剤分包袋２は分包紙１７を用いて形成されており、分包紙１７は基材３ａとこの基材３ａの片面に積層された熱融着層３ｂからなっている。分包紙１７は、基材３ａとこの基材３ａの片面に積層された熱融着層３ｂからなるシートを予めその幅方向中心に対して所定量だけ幅方向へオフセットされた位置Ｐで、熱融着層３ｂどうしが対向するようシートを長さ方向に沿って折られて形成されている。すなわち分包紙１７の対向するシート片部１０，１１の縁部１０ａ，１１ａの縁辺１０ｂ，１１ｂは幅方向には一致した位置になくオフセット量に応じた分だけ幅方向に位置ずれ（図においてＨ寸法で示す）している。ロール体４はこのような分包紙１７を支持部５に巻き回して形成されている。尚、例えば基材３ａとして、気密性や強度に優れるグラシン紙が用いられ、熱融着層３ｂとしてポリエチレンが用いられている。
【００１８】
図２は、薬剤包装装置１の各構成部材をシート３の搬送方向（図においてシート３の長手方向に沿う白抜き矢線で示す）に沿って示す模式図である。ここで図２を参照しつつ、薬剤包装装置１における各部材の概略構成について説明する。支持部５は、ロール体４を軸線回り回転自在に支持するもので、好ましくは、支持部５は中空筒状の紙管１５を有する。ロール体４は、紙管１５の外周面に巻き回されてなる。そして前記支持部５は、紙管１５を軸線回り相対回転自在に支持し得るように構成される。
【００１９】
なお支持部５を、軸線回りに回転自在とされた支持軸とし、該支持軸回りに直接に長尺のシート３を巻き回すことも可能である。又、支持部５には、ブレーキ機構等の分包紙搬送制御機構を備えることができ、必要及び／又は所望により、分包紙の搬送停止又は搬送速度制御を行えるように構成し得る。
【００２０】
前記駆動部６は、ロール体４から分包紙１７を繰り出し得る限り種々の構成を採用し得る。本実施の形態においては、駆動部６は、図２に示すように、シール部１３のシート３搬送方向後流側に配設された一対の駆動ローラ２０，２１を備えている。
【００２１】
前記案内部８は、前記ロール体４から繰り出される分包紙１７を前記投入部７等の後続する各部材へ向けて案内するように構成されている。具体的には、該案内部８は、シート３の搬送方向に沿って配設された複数のガイドバー３１を備えている。
【００２２】
前記投入部７は、上端開口及び下端開口を有する中空状のホッパー７ａ，７ｂを備えている（図２においては、ホッパー７ｂのみを図示している）。ホッパー７ｂの上端開口は、処方箋に基づき、自動又は手動で分配され且つ供給される薬剤１２を受け入れ得るようになっている。ホッパー７ｂの下端開口は、シート３のシート片部１０，１１の間に突入されている。薬剤１２は、処方箋に基づき自動又は手動で供給される。
【００２３】
前記シール部１３は、分包紙１７に対し投入部７によって収納された薬剤１２を薬剤収納空間２ｃに密封して薬剤分包袋２とするように分包紙１７を熱融着するヒートシール部材２８を備えている。本実施の形態においては、該ヒートシール部材２８は、２つ折りにされた分包紙１７のシート片部１０，１１を熱融着する長手方向シール部２６と、薬剤１２が収納された個々の薬剤分包袋２に分包紙１７を区画する幅方向シール部２７とを備えている。
【００２４】
本発明の実施形態では、駆動部６の駆動力によってロール体４から繰り出された分包紙１７は、予めその幅方向中心に対して所定量だけ幅方向へオフセットされた位置で熱融着層３ｂどうしが対向するよう長さ方向に沿って折られ、分包紙１７の対向するシート片部１０，１１の縁部１０ａ，１１ａの縁辺１０ｂ，１１ｂは幅方向には一致した位置になくオフセット量に応じた分だけ幅方向に位置ずれしている。したがって、分包紙１７をロール体４から繰り出している途中で折り曲げる必要がなく、例えば折り畳みガイド等の部材を必要としない。そして、折り畳みガイド等を必要としない分だけ薬剤包装装置１の構成を簡素化できる。
【００２５】
上記構成の薬剤包装装置１において、分包紙１７の繰り出し途中位置の両側に配置したヒートシール部材２８の長手方向シール部２６と幅方向シール部２７で分包紙１７が挟持されて加熱されてヒートシール部２ａ，２ｂが形成されることで、ロール体４から分包紙１７が繰り出される方向（長手方向）に所定間隔置きに分包紙１７のシート片部１０，１１の熱融着層３ｂどうしが熱融着され、薬剤１２を薬剤収納空間２ｃに内包して連続した薬剤分包袋２が製造される。特にこの実施形態では、シート片部１０，１１の縁部１０ａ，１１ａを長さ方向でシールするヒートシール部２ａは、縁部１０ａの縁辺１０ｂを含まず、縁部１１ａの縁辺１１ｂを含んだ位置に設定されている。そして例えば、所定の数の薬剤分包袋２が製造されたところで、薬剤分包袋２は幅方向でヒートシール部２ｂの長手方向中心でカットされ、ヒートシール部２ａ，２ｂで区画されて形成される薬剤収納空間２ｃに薬剤１２を内包した薬剤分包袋２となる。
【００２６】
ここで、前述の幅方向へオフセットする所定量とは、シート片部１０，１１の縁部１０ａ，１１ａどうしが一致せず、且つヒートシールを施した際に薬剤分包袋２に必要な量の薬剤１２を収納できるだけの量である。
【００２７】
ところで、薬剤１２の服用者は薬剤分包袋２内の薬剤１２を服用する際、薬剤分包袋２をその端の縁部から開封することが一般的である。この実施形態に示した薬剤分包袋２はこれを製造する際に、分包紙１７のシート片部１０，１１の縁部１０ａ，１１ａは幅方向には一致した位置になくオフセット量に応じた分だけずらしている。したがって、図３に示すように、薬剤分包袋２を開封する際、手指で切断する（切断を開始する）にあたり、服用者はまず分包紙１７を形成する一枚のシート（シート片部１０）を切断することになる。
【００２８】
このように一枚のシートから切断を開始することにより、従来のように二枚のシートを同時に切断する場合に比べて小さい力でもって楽に切断することができる。そしてヒートシール部２ａで熱融着された熱融着層３ｂを切断するにいたるが、既に一枚のシートは切断されている状態にあるので、ヒートシール部２ａを切断するにいたっても、従来のように二枚のシートを同時に切断し始める力に比べて小さい力で切断し得、鋏等の道具を用いることなく薬剤分包袋２を容易に開封することが可能となる。
【００２９】
一般に、グラシン紙は延伸性に乏しいため容易に切断することが可能である一方、ポリエチレン等からなる融着層３ｂは延伸性があり、手指では切断がしにくい。しかも、融着層３ｂは薬剤分包袋２をヒートシールによって製造する場合は必要な部分である。しかし、上記実施形態のように、薬剤分包袋２の切断の開始が一枚のシート（シート片部１０）である場合、二枚のシート切断し始める力に比べて小さい力で切断できることは明らかである。
【００３０】
図４乃至図６に別の実施形態を示す。図４は概略斜視図、図５は概略平面図、図６は概略平面図である。この実施形態では、折り畳んでいない薬剤分包袋形成用シート３（以下単に「シート３」といい、シート状の分包紙でもある）をロール体４から繰り出す途中でシート３を折り畳んで薬剤分包袋２とする薬剤包装装置１および薬剤分包袋の製造方法である。
【００３１】
薬剤包装装置１は、案内部８としてシート３の搬送方向に沿って配設された複数のガイドバー３１，３２，３３を備えている。好ましくは、図４に示すように、薬剤包装装置１は、投入部７の搬送方向前流側に印刷部４０を備える。印刷部４０は、シート３の一側面又は両側面に、日付，患者名，薬剤名等の処方データを印刷するための印刷ユニット４１を備えている。なお、図中、符号４２は、搬送される薬剤分包袋形成用シート３を印刷ユニット４１へ向けて案内する印刷ガイドバーであって、必要に応じ前記印刷部４０に備えられる。
【００３２】
この実施形態の薬剤包装装置１は、また、平面状態で搬送されているシート３を、投入部７の搬送方向前流側において、長手方向に沿って２つ折りにする為の折り畳みガイド２５を有する。
【００３３】
折り畳みガイド２５は、図４および図５に示すように、三角形の板状に形成されている。図５に示すように、折り畳みガイド２５は不等辺三角形の板状に形成されている。折り畳みガイド２５の幅方向中心は投入部７（ホッパ−７ｂ）の中心に一致するよう配置されるが、折り畳みガイド２５のひとつの頂点部２５ａ（シート３に接する頂点部）は、他のふたつの頂点部２５ａ，２５ｂの幅方向中心２５ｃに対して所定量だけ幅方向一方、すなわちこの場合、シート片部１１がシート片部１０よりも短幅になる側へオフセットした位置に設定されている。
【００３４】
この実施形態では、シート３を薬剤分包袋２とする途中で折り畳むようにした点、折り畳みガイド２５を有する点、印刷ユニット４１を備えている点で上記実施形態と異なる。他の構成は上記実施形態と同様であるので、同一の符号を付してその説明を省略する。
【００３５】
印刷部４０によって上記のような所定の印刷が行われ、その後さらにシート３が搬送方向後流側に移動すると、折り畳みガイド２５によってシート３は、その幅方向中心に対して所定量だけ幅方向へオフセットされた位置で長さ方向に沿って順次折られる。そうすると、上記実施形態で示したような予め折り畳んでおいた分包紙１７とほぼ同形状となる。したがって、投入部７に至った際には、シート３（分包紙１７）のシート片部１０，１１の縁部１０ａ，１１ａの縁辺１０ｂ，１１ｂは幅方向に一致した位置になくオフセット量に応じた分だけ位置ずれしている。
【００３６】
すなわち一方のシート片部１１の縁部１１ａの縁辺１１ｂと、他方のシート片部１０の縁部１０ａの縁辺１０ｂとは、シート３の幅方向に相対的に位置ずれしている。そして、このように幅方向に位置ずれしたシート３の重ね開放部（対向するシート片部１０，１１の間）から薬剤１２がホッパー７ｂによって投入（収納）される。このようにして薬剤１２が投入された後は、さらにシート３は駆動部６の駆動力でもって搬送方向後流側に移動し、薬剤１２が投入された長さ方向領域を含んでシート３（融着層３ｂ）どうしが熱融着され、薬剤１２を内包する薬剤収納空間２ｃを有する連続した薬剤分包袋２が製造される。
【００３７】
服用者が薬剤分包袋２内の薬剤１２を服用するために薬剤分包袋２をその端の縁部から開封する際、薬剤分包袋２のシート片部１０，１１の縁部１０ａ，１１ａは幅方向にずらしているから、薬剤分包袋２を手指で切断するにあたり、服用者はまず薬剤分包袋２を形成する一枚のシートから切断することになり、二枚のシートを同時に切断する場合に比べて小さい力でもって楽に切断することができる。そしてヒートシール部２ａで熱融着された熱融着層３ｂにいたったときは既に一枚のシートは切断されている状態にあるので、二枚のシートを同時に切断し始める力に比べて小さい力で切断し得、鋏等の道具を用いることなく薬剤分包袋２を容易に開封することが可能となる。
【００３８】
上記各実施形態において、薬剤分包袋２は一枚のシート３からなる分包袋１７を用いて構成（製造）されており、薬剤分包袋２を単体でみれば、シート片部１０，１１、ヒートシール部２ａ，２ｂ、およびシート片部１０，１１、ヒートシール部２ａ，２ｂによって形成される薬剤収納空間２ｃからなり、シート片部１０，１１の縁部１０ａ，１１ａの縁辺１０ｂ，１１ｂを幅方向にずらしている。そして、上記各実施形態では、ロール体４を設けてこのような構成を有する薬剤分包袋２を連続して製造するようにしているが、本発明はこれに限定されない。すなわち、本発明は一包ずつの薬剤分包袋２を製造する場合にも適用可能であり、この場合でもシート片部１０，１１の縁部１０ａ，１１ａの縁辺１０ｂ，１１ｂを幅方向にずらしてあればよく、このようにすることにより切断を楽に行うことができる。
【００３９】
図１乃至図３に示した実施形態では、予めシート３をその幅方向中心に対して所定量だけ幅方向へオフセットされた位置で長さ方向に沿って折った分包紙１７とし、分包紙１７のシート片部１０，１１の縁部１０ａ，１１ａの縁辺１０ｂ，１１ｂどうしを幅方向にずらした位置とし、このような分包紙１７をロール体４として薬剤分包袋２を製造している。また、図４乃至図６に示した実施形態では、ロール体４からシート３を繰り出す途中でシート３を二つ折りにして分包袋１７とし、これに薬剤１２を投入してヒートシールを行うことで薬剤分包袋２とした。しかし、シート片部１０，１１の縁部１０ａ，１１ａの縁辺１０ｂ，１１ｂどうしを幅方向にずらすといった点においては上記各実施形態に限定されず、一旦シート３をその幅方向中心で折って、その後シート片部１０，１１の縁部１０ａ，１１ａの縁辺１０ｂ，１１ｂどうしを幅方向にずらすようにして上記のようなヒートシールを行ってもよい。さらに分包袋１７は薬剤１２の分包に用いたがこれに限定されず、分包を必要としたり分包が便利である物品であれば、本発明の分包紙１７は適用可能である。
【００４０】
さらに、シート片部１０，１１の縁部１０ａ，１１ａの縁辺１０ｂ，１１ｂを幅方向に相対的に位置ずれさせるためには、図１乃至図３に示した実施形態に限定されるものではない。例えば、シート３をその幅方向中心で折り曲げ、シート片部１０，１１の縁部１０ａ，１１ａの縁辺１０ｂ，１１ｂどうしを従来と同様に一致させ、ヒートシールを施す前あるいはヒートシールを施した後にシート片部１０，１１の何れかの縁部１０ａ，１１ａを長さ方向に切除することで、縁部１０ａ，１１ａどうしが幅方向に相対的に位置ずれした薬剤分包袋２（分包紙１７）を製造することも可能である。この場合、特にヒートシール部２ａの位置は、縁部１０ａ，１１ａの縁辺１０ｂ，１１ｂを含まず縁辺１０ｂ，１１ｂから幅方向に位置ずれさせた近傍位置で行い、何れかの縁部１０ａ，１１ａを切除する。このようにした薬剤分包袋２でも、上記各実施形態と同様の作用効果を奏し得る。尚、図２は印刷部４０を省略した図としているが、このような印刷部４０は必要に応じて設ければよい。
【図面の簡単な説明】
【００４１】
【図１】本発明の実施形態を示す薬剤包装装置の内部構造の一部を示す斜視図。
【図２】同じく薬剤包装装置を用いて薬剤分包袋を製造する際の要部拡大斜視図。
【図３】同じく薬剤分包袋の断面図。
【図４】別の実施形態を示す薬剤包装装置を用いて薬剤分包袋を製造する際の要部拡大斜視図。
【図５】同じく概略平面図。
【図６】同じく概略側面図。
【符号の説明】
【００４２】
１…薬剤包装装置、２…薬剤分包袋、２ａ，２ｂ…ヒートシール部、３…薬剤分包袋形成用シート、３ａ…基材、４…ロール体、７…投入部、１３…シール部、１０，１１…シートのシート片部、１０ａ，１１ａ…縁部、１０ｂ，１１ｂ…縁辺、１２…薬剤、１３…シール部、１４…分包紙、２５…折り畳みガイド、２６…長手方向シール部、２７…幅方向シール部、２８…ヒートシール部材
【図１】
2006149505.tif 000003
【図２】
2006149505.tif 000004
【図３】
2006149505.tif 000005
【図４】
2006149505.tif 000006
【図５】
2006149505.tif 000007
【図６】
2006149505.tif 000008